(57)【特許請求の範囲】
【請求項１】
流体を輸送するための第１の輸送管路と、前記第１の輸送管路を流れる流量を計測する第１の流量計測手段と、前記第１の流量計測手段で計測された第１の流量情報を伝送する第１の通信手段と、前記第１の流量計測手段の下流側で第１の輸送管路を分岐して設けたＭ個の第２の輸送管路と、前記第２の輸送管路の最上流側にそれぞれ設けたＭ個の第２の流量計測手段と、前記第２の流量計測手段で計測された第２の流量情報を伝送する第２の通信手段と、前記第２の流量計測手段の下流側で第２の輸送管路を分岐して設けたＮ個の第３の輸送管路と、前記第３の輸送管路の最上流側にそれぞれ設けたＮ個の第３の流量計測手段と、前記第３の流量計測手段で計測された第３の流量情報を伝送する第３の通信手段と、前記第１の流量情報と前記第２の流量情報または前記第３の流量情報を受信する第４の通信手段と、前記第１の流量情報と前記Ｍ個の第２の流量情報とを比較することで前記第１の輸送管路からの漏洩を判定するとともに、前記Ｍ個の第２の流量情報と前記Ｎ個の第３の流量情報とを比較することで前記第２の輸送管路からの漏洩を判定する判定手段を備えた配管漏洩監視装置。
【請求項２】
第２の輸送管路は、集合住宅の床スラブ貫通配管である立て配管を一つの配管グループとした請求項１記載の配管漏洩監視装置。
【請求項３】
第３の流量情報を受信する第５の通信手段と、前記第３の流量情報から第２の流量情報を検出する第２の流量計測手段を備えた請求項１記載の配管漏洩監視装置。
【請求項４】
流量の有無を判定する流量判定装置を第２の流量計測手段または第３の流量計測手段に備えた請求項１記載の配管漏洩監視装置。
【請求項５】
第１から第５の通信手段は無線信号によって流量情報を通信する無線装置を備えた請求項１から４のいずれか１項に記載の配管漏洩監視装置。
【発明の詳細な説明】
【０００１】
【産業上の利用分野】
本発明は、流体を輸送する輸送管路の流体漏洩の有無を自動的に検知する配管漏洩検知装置に関するものである。
【０００２】
【従来の技術】
従来、流体を輸送する管路の漏洩監視装置は、特開平４−３６３６３８号公報に示すようなガス供給配管の漏洩監視装置の構成が知られていた。以下、その構成について図５を参照しながら説明する。
【０００３】
図５に示すように、ガス供給源１からの供給ガス全体を積算する親ガスメーター２と、ガス供給管３と、各供給先の個別ガスメーター４を経てガス器具５に供給するとともに、親ガスメーター２および個別ガスメーター４は、流量発信機能を有し、各ガスメーターを管理する管理装置６との間で流量情報の交換自在なガス供給漏洩監視装置としていた。ここで、７は微小漏洩監視メーター、８は圧力調整器、９は流量発信装置である。
【０００４】
このような構成において、一日のうちのガス使用量の少ない時間帯に所定時間の間のガス流量を各ガスメーター別に管理装置に流量発信機能により集め、親ガスメーター２の流量値Ｎｓと、各個別ガスメーター４の流量値Ｎ１、Ｎ２、………Ｎｎの和Ｎ１＋Ｎ２＋………＋Ｎｎとを比較し、Ｎｓ≦Ｎ１＋Ｎ２＋………＋Ｎｎの場合は漏洩無しと見なし、Ｎｓ＞Ｎ１＋Ｎ２＋………＋Ｎｎの場合は漏洩ありとする漏洩判断方法を採用していた。
【０００５】
【発明が解決しようとする課題】
しかしながら従来例のような配管漏洩監視装置では、戸数が多くなってくると各個別メーターの流量の集計を行うことが非常に困難である。すなわち、親ガスメーターの計測情報と各個別メーターの流量情報を収集するには、電話回線を通じて行われているが、回線数が非常に多くなると混信等が発生し、情報がうまく伝わらない場合があった。また、混信を避けるために、データ通信用の信号線を配線する方法も考えられるが、工事性が非常に悪く現実的ではなかった。
【０００６】
本発明は上記課題を解決するもので、多数の配管からの漏洩判定をそれぞれの配管毎に区間分離することによって分散的に処理して漏洩監視することを第１の目的としている。
【０００７】
また、床スラブ貫通管である立て管ごとに分離することで集合住宅での施工性を向上することを第２の目的としている。
【０００８】
また、第３の流量情報の総和から第２の流量情報を得ることで流量計測を簡素化して漏洩監視することを第３の目的としている。
【０００９】
また、第２または第３の流量情報として流量有無を用いることで第１の流量計測手段の流量情報のみで漏洩判定することを第４の目的としている。
【００１０】
そしてまた、通信手段として無線手段を用いることで工事性を簡素化することを第５の目的としている。
【００１１】
【課題を解決するための手段】
上記第１の目的を達成するために本発明は、流体を輸送するための第１の輸送管路と、前記第１の輸送管路を流れる流量を計測する第１の流量計測手段と、前記第１の流量計測手段で計測された第１の流量情報を伝送する第１の通信手段と、前記第１の流量計測手段の下流側で第１の輸送管路を分岐して設けたＭ個の第２の輸送管路と、前記第２の輸送管路の最上流側にそれぞれ設けたＭ個の第２の流量計測手段と、前記第２の流量計測手段で計測された第２の流量情報を伝送する第２の通信手段と、前記第２の流量計測手段の下流側で第２の輸送管路を分岐して設けたＮ個の第３の輸送管路と、前記第３の輸送管路の最上流側にそれぞれ設けたＮ個の第３の流量計測手段と、前記第３の流量計測手段で計測された第３の流量情報を伝送する第３の通信手段と、前記第１の流量情報と前記第２の流量情報または前記第３の流量情報を受信する第４の通信手段と、前記第１の流量情報と前記Ｍ個の第２の流量情報とを比較することで前記第１の輸送管路からの漏洩を判定するとともに、前記Ｍ個の第２の流量情報と前記Ｎ個の第３の流量情報とを比較することで前記第２の輸送管路からの漏洩を判定する判定手段を備えた構成とした。
【００１２】
また、第２の目的を達成するために本発明の第２の手段は、第２の輸送管路は、集合住宅の床スラブ貫通配管である立て配管をひとつの配管グループで構成した。
【００１３】
また、第３の目的を達成するために本発明の第３の手段は、第３の流量情報を受信する第５の通信手段と、前記第３の流量情報から第２の流量情報を検出する第２の流量計測手段を備えた構成とした。
【００１４】
また、第４の目的を達成するために本発明の第４の手段は、流量の有無を判定する流量判定装置を第２の流量計測手段または第３の流量計測手段に備えた構成とした。
【００１５】
そしてまた、第５の目的を達成するために本発明の第５の手段は、第１から第５の通信手段は無線信号によって流量情報を通信する無線装置を備えた構成とした。
【００１６】
【作用】
本発明は上記構成によって、第１の手段によれば、多数の配管からの漏洩判定をそれぞれの配管毎に区間分離することで分散的に処理して漏洩監視することができる。
【００１７】
また、第２の手段によれば、床スラブ貫通管である立て管ごとに分離することで集合住宅での施工性を向上することができる。
【００１８】
また、第３の手段によれば、第３の流量情報の総和から第２の流量情報を得ることで流量計測を簡素化して漏洩監視することができる。
【００１９】
また、第４の手段によれば、第２または第３の流量情報として流量有無を用いることで第１の流量計測手段の流量情報のみで漏洩判定することができる。
【００２０】
そしてまた、第５の手段によれば、通信手段として無線手段を用いることで工事性を簡素化することができる。
【００２１】
【実施例】
以下、本発明の実施例を、図１から図４を参照して説明する。
【００２２】
図１と図２に示すように、流体を輸送するための第１の輸送管路１０と、第１の輸送管路１０を流れる流量を計測する第１の流量計測手段である第１の超音波流量計１１と、第１の超音波流量計で計測された第１の流量情報を伝送する第１の通信手段である第１の無線装置１２と、第１の超音波流量計１１の下流側で第１の輸送管路１０を分岐して設けた３個の第２の輸送管路１３と、第２の輸送管路１３の最上流側にそれぞれ設けた３個の第２の流量計測手段である第２の超音波流量計１４と、前記第２の超音波流量計１４で計測された第２の流量情報を伝送する第２の通信手段である第２の無線装置１５と、更に前記第２の超音波流量計１５の下流側で第２の輸送管路１３を分岐して設けた５個の第３の輸送管路１６と、第３の輸送管路１６の最上流側にそれぞれ設けた５個の第３の流量計測手段としてのガスメーター１７と、各ガスメーター１７で計測された第３の流量情報を伝送する第３の通信手段としての第３の無線装置１８と、第１の流量情報と第２の流量情報または第３の流量情報を受信する第４の通信手段としての第４の無線装置１９と、各流量情報を比較して前記第１の輸送管路１０または第２の輸送管路１３からの流体の漏洩を判別する判定手段２０を備えた構成とした。ここで、第２の輸送管路１３は集合住宅２１の床スラブ貫通配管である立て配管をひとつの配管グループ２２とした。そして、２３はガス器具、２４は警報機、２５は電話通報装置、２６は主管路、２７は遮断弁である。
【００２３】
このような構成において、判定手段２０では、第１の流量情報と３個の第２の流量情報の総和を比較し、その流量差が５リッター／時以上になれば、第１の超音波流量計から第２の超音波流量計までの第１の輸送管路からの漏洩と判定する。そして、第２の流量情報とそれに対応した配管グループの５個の第３の流量情報の総和を比較し、その流量差が５リッター／時以上になれば、第２の超音波流量計から各ガスメーターまでの第２の輸送管路からの漏洩と判定する。このように、地中に埋設された第１の輸送管路１０と建屋内２１に配設された第２の輸送管路１３である立ち上がり管に分離することで漏洩判定を容易に、かつ自動的に監視することができる。
【００２４】
また、無線通信によって、流量情報を交換する構成としているため、第１の超音波流量計と第２の超音波流量計とガスメーターとの判定手段を結ぶ信号線が不要となり、設置工事の作業性が大きく改善される。そして、パイプシャフトと一般に言われている配管スペースを貫通する立て配管を一つのグループとして管理することによって、流量情報の管理を容易にすることができるとともに、ガス停止配管の設定など施工性も簡素化することができる。
【００２５】
さらに、立ち上がり管の大元に第２の超音波流量計を配置しているが、各ガスメーターの流量情報を第５の通信手段である第５の無線装置２８で受信することによって入手してその情報を第２の流量情報とすることができる。そのデータを利用して、第１の輸送管路の漏洩を判定する場合には、判定手段へのデータは第２の流量情報、この場合は３個の流量情報だけでよく、しかも既設のガスメーターの流量情報を利用することでができるという効果がある。
【００２６】
このように、輸送管路を分割して管理することにより、分岐後の流量情報の数を大幅に減らすことができる。その結果、流量情報の管理を容易にすると共に、無線装置を利用した場合には、通信相手が少なくなるため通信プロトコルなどが簡素化でき迅速に流量情報を収集することができ、漏洩監視をすばやく行うことができる。
【００２７】
次に、第２の実施例について図３と図４を用いて説明する。上記第１の実施例と同一構造で、かつ同一作用をする部分には同一符号を付して詳細な説明は略し、異なる部分を中心に説明する。
【００２８】
図３に示すように、第２の流量計測手段は、それぞれの輸送管路に流量があるかないかを判定する流量判定装置２９を備えた構成とした。流量判定装置２９は図４に示すように、第２の輸送管路１３の内部に受圧板３０を設け、受圧板３０の変動でスイッチ３１がオン／オフする構成とした。ここで、３２はスイッチの接点、３３は受圧板の回転軸である。
【００２９】
このような構成において、判定手段２０では、３個の第２の流量情報すべてが流量なしの情報を受信したとき、第１の超音波流量計１１の流量が所定値５リッター／時以上流れていれば漏洩と判定することとした。そして、第３の流量計測手段に同様の流量判定装置２９を設けることによって、第３の流量情報すべてが流量なしの情報を受信したとき、第１の超音波流量計１１の流量が所定値５リッター／時以上流れていれば漏洩と判定することとした。よって、下流側の流量を精度よく測定しなくても、流量のあり／なしの情報で漏洩を判定することができる。しかも、第１の流量計のみを漏洩流量の測定帯域に合わせればよく、測定する流量計を簡素化することができる。
【００３０】
以上の説明から明らかのように本発明の実施例を総括的に述べれば、次の効果を奏する。
【００３１】
多数の流量情報の扱いが中継局を設けることで分散処理的に処理して混信等のトラブルを回避することができる。
【００３２】
また、床スラブ貫通管である立て管ごとに中継局を設けることで集合住宅での施工性を向上することができる。
【００３３】
また、第３の流量情報から第２の流量情報を得ることで流量計測を簡素化することができる。
【００３４】
また、第２または第３の流量情報として流量有無を用いることで第１の流量計測手段の流量情報のみで漏洩判定することができる。
【００３５】
そしてまた、通信手段として無線手段を用いることで工事性を簡素化することができる。２つの流量計測手段で計測された流量情報を基に輸送管路からの漏洩を確実に精度よく判定することができる。
【００３６】
【発明の効果】
以上の説明から明らかのように本発明の配管漏洩監視装置によれば、多数の配管からの漏洩判定をそれぞれの配管毎に区間分離することで分散的に処理して漏洩監視することができる。
【図面の簡単な説明】
【図１】本発明の一実施例を示す配管漏洩監視装置の構成図
【図２】同装置のブロック図
【図３】本発明の他の実施例を示す配管漏洩監視装置の構成図
【図４】同装置の流量判定装置の断面図
【図５】従来の配管漏洩監視装置の構成図
【符号の説明】
１０  第１の輸送管路
１１  第１の超音波流量計（第１の流量計測手段）
１２  第１の無線装置（第１の通信手段）
１３  第２の輸送管路
１４  第２の超音波流量計（第２の流量計測手段）
１５  第２の無線装置（第２の通信手段）
１６  第３の輸送管路
１７  ガスメーター
１８  第３の無線装置（第３の通信手段）
１９  第４の無線装置（第４の通信手段）
２０  判定手段
２１  集合住宅
２２  配管グループ
２８  第５の無線装置（第５の通信手段）
２９  流量判定装置
【図１】
0003546559.tif 000002
【図２】
0003546559.tif 000003
【図３】
0003546559.tif 000004
【図４】
0003546559.tif 000005
【図５】
0003546559.tif 000006